(57)【要約】【課題】原稿搬送装置内に形成された読取キャリッジに、原稿搬送装置に生じた歪みや捩れが伝わることを防止することが可能な原稿読取装置を提供する。【解決手段】原稿搬送ユニットに設けられ第１の読取キャリッジで読み取られる原稿面とは異なる面を読み取る第２の読取キャリッジ３と、第２の読取キャリッジ３を支持する支持面５３を有する支持フレーム５１と、第２の読取キャリッジ３を支持フレーム５１との間で挟んで保持する保持部材５４と、第２の読取キャリッジ３と保持部材５４の間に設けられ、支持フレーム５１に第２の読取キャリッジ３を押圧する弾性部材５５と、を備え、支持フレーム５１の支持面５３又は支持面５３に支持される第２の読取キャリッジ３の被支持面４２の何れか一方を曲面に形成する。【選択図】図４
2014045300.tif 000002
【特許請求の範囲】
【請求項１】
原稿を載置する給紙トレイと、原稿を収納する排紙トレイと、前記給紙トレイから排紙トレイに至る原稿搬送経路と、を有する原稿搬送ユニットと、該原稿搬送ユニットにて搬送される原稿を読み取る第１の読取キャリッジを有する原稿読取ユニットと、を備え、前記原稿搬送ユニットが前記原稿読取ユニットに対して開閉自在である原稿読取装置において、
前記原稿搬送ユニットに設けられ、原稿の前記第１の読取キャリッジで読み取られる面とは異なる面を読み取る第２の読取キャリッジと、
前記第２の読取キャリッジを支持する支持面を有する支持フレームと、
前記第２の読取キャリッジを前記支持フレームとの間で挟んで保持する保持部材と、
前記第２の読取キャリッジと前記保持部材の間に設けられ、前記支持フレームに前記第２の読取キャリッジを押圧する弾性部材と、を備え、
前記支持フレームの支持面、又は該支持面に支持される前記第２の読取キャリッジの被支持面の何れか一方が曲面で形成されることを特徴とする原稿読取装置。
【請求項２】
前記支持フレームには、前記第２の読取キャリッジを位置決めする位置決めピンが設けられ、該位置決めピンは、前記第２の読取キャリッジの短手方向の端部に形成された挿入孔に挿入して前記第２の読取キャリッジの位置決めを行うことを特徴とする請求項１に記載の原稿読取装置。
【請求項３】
前記第１の読取キャリッジで原稿を読み取るための第１の読取部と、
該第１の読取部の下流側で、前記第２の読取キャリッジで原稿を読み取るための第２の読取部と、
前記第１の読取部及び第２の読取部の間に配置される第１ローラ対と、
前記第２の読取部の下流側に配置される第２ローラ対と、を備え、
前記第１ローラ対から前記第２の読取部を介して前記第２ローラ対に至る原稿搬送経路を形成する搬送ガイド部材を前記第２の読取キャリッジに設けることを特徴とする請求項１又は２に記載の原稿読取装置。
【請求項４】
前記搬送ガイド部材は、前記第２の読取キャリッジに設けられたコンタクトガラスと、該コンタクトガラスに対向して配置され、該コンタクトガラスに向かって付勢部材で付勢された揺動ガイド部材と、で構成されることを特徴とする請求項３に記載の原稿読取装置。
【発明の詳細な説明】
【技術分野】
【０００１】
本発明は原稿の両面を読み取る原稿読取装置に関し、詳しくは一方面を読み取られた原稿の他方面を読み取るための読取部を有する原稿搬送装置を備えた原稿読取装置に関するものである。
【背景技術】
【０００２】
従来、両面に画像が形成された両面原稿を読み取る原稿読取装置としては、原稿の表裏を反転する反転機構を有する原稿搬送装置を備え、読取部に原稿を搬送して一方面を読み取った後に反転機構で原稿の表裏を反転させて、再び読取部に原稿を搬送して他方面を読み取るもののほかに、原稿の一方面を読み取る第１の読取部と原稿の他方面を読み取る第２の読取部の、二つの読取部で原稿の両面を読み取るものが知られている。
【０００３】
このような二つの読取部を備えて原稿の両面を読み取る原稿読取装置において、第１の読取部を原稿読取装置本体側に設けると共に、第２の読取部を原稿搬送装置に形成されたＵ字状の原稿搬送経路の内側に設けたものがこれまでに知られている（例えば、特許文献１及び特許文献２参照）。
【先行技術文献】
【特許文献】
【０００４】
【特許文献１】特開２００８−１６２７７５号公報
【特許文献２】特開２０１１−１２４７８５号公報
【発明の概要】
【発明が解決しようとする課題】
【０００５】
通常、上記のような原稿読取装置が備える原稿搬送装置は、ブック用のコンタクトガラスに載置した原稿を読み取るために、原稿読取装置本体の上面に対して開閉自在となっている。具体的には、原稿読取装置本体の上面に載置された原稿搬送装置は、リア側に配置されたヒンジを支点として原稿読取装置本体に対して枢支されており、原稿搬送装置のフロント側を手動で上下方向に回動させて開閉することが可能な構成となっている。
【０００６】
このように原稿搬送装置は原稿読取装置本体のリア側に対して回動するために、開状態とする度に斜め姿勢になる。そのため開閉の都度、歪みや捩れが生じるのを免れ得ない。このとき、原稿搬送装置内に組み込まれている第２の読取部（読取キャリッジ）にも同様に歪みや捩れが発生するという問題があった。
【０００７】
図１０は、従来の原稿読取装置における、第２の読取キャリッジの原稿搬送装置への取付態様を示す模式図である。図１０（ａ）に示すように、原稿搬送装置の支持フレーム（側板）１５１には、第２の読取キャリッジ１０３を支持するために突出した支持部１５２が設けられている。一方、第２の読取キャリッジ１０３には、支持フレーム１５１の支持部１５２と当接して支持固定されるための取付部１４１が形成されている。これら支持部１５２と取付部１４１には、図示を省略するがそれぞれネジ孔が形成されており、第２の読取キャリッジ１０３は、支持フレーム１５１の支持部１５２上に取付部１４１によって載置され、さらにビス１５４によって支持フレーム１５１に固定されている。
【０００８】
このような原稿搬送装置に歪みや捩れが生じると、支持フレーム１５１の支持部１５２の位置が変化する〔図１０（ｂ）〕。このとき第２の読取キャリッジ１０３では、互いに平面である支持部１５２の支持面と取付部１４１の取付面とが面接触した上でビス１５４で固定されているため、支持フレーム１５１の支持位置の変化ｈが微小であっても、図１０（ｂ）に示すように歪みや捩れが伝わってしまう。読取キャリッジ１０３に歪みや捩れが加わると、内部に配置された複数のミラー等の光学部品の位置がずれて光軸に狂いが発生し、読取画像に影響が生じるという問題があった。
【０００９】
特に近年は、原稿搬送装置の軽量化や薄型化、簡素化の要望によって、装置の剛性強度が低下する傾向にあり、原稿搬送装置を開閉する際の歪みや捩れがより発生しやすい状況にある。
【００１０】
本発明は、上記状況に鑑みて、原稿搬送装置内に形成された読取キャリッジに、原稿搬送装置に生じた歪みや捩れが伝わることを防止することが可能な原稿読取装置を提供することを目的とする。
【課題を解決するための手段】
【００１１】
上記の課題を解決するため、本発明は、原稿を載置する給紙トレイと、原稿を収納する排紙トレイと、前記給紙トレイから排紙トレイに至る原稿搬送経路と、を有する原稿搬送ユニットと、その原稿搬送ユニットにて搬送される原稿を読み取る第１の読取キャリッジを有する原稿読取ユニットと、を備え、前記原稿搬送ユニットが前記原稿読取ユニットに対して開閉自在である原稿読取装置において、前記原稿搬送ユニットに設けられ、原稿の前記第１の読取キャリッジで読み取られる面とは異なる面を読み取る第２の読取キャリッジと、前記第２の読取キャリッジを支持する支持面を有する支持フレームと、前記第２の読取キャリッジを前記支持フレームとの間で挟んで保持する保持部材と、前記第２の読取キャリッジと前記保持部材の間に設けられ、前記支持フレームに前記第２の読取キャリッジを押圧する弾性部材と、を備え、前記支持フレームの支持面、又はその支持面に支持される前記第２の読取キャリッジの被支持面の何れか一方が曲面で形成されることを特徴とする原稿読取装置を提供する。
【００１２】
ここで、前記支持フレームには、前記第２の読取キャリッジを位置決めする位置決めピンが設けられ、その位置決めピンは、前記第２の読取キャリッジの短手方向の端部に形成された挿入孔に挿入して前記第２の読取キャリッジの位置決めを行うことを特徴とする。
【００１３】
また、前記原稿読取装置は、前記第１の読取キャリッジで原稿を読み取るための第１の読取部と、その第１の読取部の下流側で、前記第２の読取キャリッジで原稿を読み取るための第２の読取部と、前記第１の読取部及び第２の読取部の間に配置される第１ローラ対と、前記第２の読取部の下流側に配置される第２ローラ対と、を備え、前記第１ローラ対から前記第２の読取部を介して前記第２ローラ対に至る原稿搬送経路を形成する搬送ガイド部材を前記第２の読取キャリッジに設けることを特徴とする。
【００１４】
そして、前記搬送ガイド部材は、前記第２の読取キャリッジに設けられたコンタクトガラスと、そのコンタクトガラスに対向して配置され、そのコンタクトガラスに向かって付勢部材で付勢された揺動ガイド部材と、で構成されることを特徴とする。
【発明の効果】
【００１５】
本発明の原稿読取装置によれば、原稿搬送装置に歪みや捩れが生じた場合でも、これを原稿搬送装置の読取キャリッジに伝えずに、読取キャリッジを安定して保持することが可能となる。
【図面の簡単な説明】
【００１６】
【図１】本発明の一実施形態に係る原稿読取装置の全体構成を示す断面図である。
【図２】図１に示す原稿読取装置の第２の読取キャリッジを示す拡大断面図である。
【図３】図１に示す第２の読取キャリッジを下方向から見た斜視図である。
【図４】本発明の原稿読取装置における第２の読取キャリッジの原稿搬送装置Ａへの取付態様の一例を示す模式図である。
【図５】図１に示す第２の読取キャリッジの取付部を示す断面模式図である。
【図６】図１に示す第２の読取キャリッジの取付部を示す斜視図である。
【図７】図１に示す原稿読取装置の給紙カバーユニットと分離ガイドユニットを取り外した状態の上面模式図である。
【図８】図１に示す原稿読取装置の給紙カバーユニットを外した状態の上面模式図である。
【図９】本発明の原稿読取装置における第２の読取キャリッジの原稿搬送装置Ａへの取付態様の他の例を示す模式図である。
【図１０】従来の原稿読取装置における、第２の読取キャリッジの原稿搬送装置への取付態様を示す模式図である。
【発明を実施するための形態】
【００１７】
以下、本発明に係る原稿読取装置について説明する。図１は、本発明の一実施形態に係る原稿読取装置の全体構成を示す断面図である。
【００１８】
図１に示すように原稿読取装置は、原稿読取装置本体（原稿読取ユニット）Ｈと原稿を搬送する原稿搬送装置（原稿搬送ユニット）Ａで構成されており、原稿搬送装置Ａは原稿読取装置本体Ｈに図示しないヒンジを介して取り付けられている。なお、前記ヒンジは原稿読取装置本体Ｈの上面に対して原稿搬送装置Ａを開閉自在に支持する。
【００１９】
原稿読取装置本体Ｈには、原稿搬送装置Ａによってコンタクトガラス１ａ上面を搬送される原稿の片面を読み取る第１の読取部を搭載した第１の読取キャリッジ２が設けられている。また、原稿搬送装置Ａには本体Ｈのコンタクトガラス１ａ上面を通過した原稿の他面を読み取る第２の読取部を搭載した第２の読取キャリッジ３が設けられている。
【００２０】
そして、原稿搬送装置Ａは、原稿読取装置本体Ｈの上面を開放するように本体Ｈに対して開閉自在に取り付けられており、本体Ｈのコンタクトガラス１ｂに載置された原稿を第１の読取キャリッジ２を移動させて読み取るように構成されている。
【００２１】
原稿読取装置本体Ｈに設けられた第１の読取キャリッジ２は、第１の読取部である、光源、複数のミラー、レンズ、光電変換素子（ＣＣＤ）を含む光電変換手段が一体化されたユニットとなっている。そして、第１のコンタクトガラス１ａを介して光源からの光を搬送される原稿に照射し、その反射光をミラーで反射させてレンズを介してＣＣＤを含む光電変換手段により光電変換して原稿画像を読み取る。また、第１の読取キャリッジ２は、副走査方向に移動することによって、原稿搬送装置Ａを開閉して第２のコンタクトガラス１ｂ上に載置されたブック物等の厚い原稿画像を読み取る。
【００２２】
原稿搬送装置Ａには、図１に示すように複数枚の原稿を載置可能な給紙トレイ１０と、読み取られた原稿を収納する排紙トレイ１１が備えられている。給紙トレイ１０は排紙トレイ１１の上方に重なるように配置されており、給紙トレイ１０の下流側には、給紙トレイ１０上に載置された原稿の先端を整合する規制壁７２が、給紙トレイ１０から後述するＵ字状の原稿搬送経路１２へ繋がるように設けられている。
【００２３】
原稿搬送経路１２は、給紙トレイ１０から排紙トレイ１１へ至るＵ字状の経路であり、図１に示すように給紙トレイ１０上の原稿が繰り出される給紙口１２ａからレジストローラ対１６に至る上流側の経路と、レジストローラ対１６から第１のコンタクトガラス１ａを経て搬送ローラ対（第１ローラ対）１８に至る湾曲した中間の経路と、搬送ローラ対１８から排紙ローラ対（第２ローラ対）１９の位置する排紙口１２ｂに至る下流側の経路から構成されている。原稿搬送経路１２は、上下に配置される搬送ガイド部材から形成される。
【００２４】
原稿搬送経路１２には、給紙トレイ１０に載置され規制壁７２で先端を整合された原稿に当接してこの原稿を繰り出すための繰出ローラ１３と、繰り出された原稿を給送する給紙ローラ１４と、給紙ローラ１４に圧接して原稿を１枚に分離する分離ローラ１５と、この給紙ローラ１４及び分離ローラ１５により１枚に分離されて給送される原稿の先端を突き当てて整合した後に下流側に送るレジストローラ対１６（レジストローラ１６Ａ、１６Ｂ）と、第１のコンタクトガラス１ａの上流側に配置された搬送ローラ対１７と、第１のコンタクトガラス１ａの下流側に配置された搬送ローラ対（第１ローラ対）１８と、搬送ローラ対１８の下流側に配置されて排紙トレイ１１に原稿を排紙する排紙ローラ対（第２ローラ対）１９と、が設けられている。
【００２５】
なお、繰出ローラ１３、給紙ローラ１４、レジストローラ１６Ａは、原稿搬送装置Ａの給紙カバー８１、及び原稿搬送経路１２の上流における外側の搬送ガイド部材の一部と共にユニット化されて給紙カバーユニット８０を形成している。また、分離ローラ１５と、給紙トレイ１０の規制壁７２も、原稿搬送経路１２の上流における内側の搬送ガイド部材の一部と共にユニット化されて、分離ガイドユニット７０を形成している。この給紙カバーユニット８０及び分離ガイドユニット７０についての詳細は後述する。
【００２６】
原稿搬送装置Ａには、第１の読取キャリッジ２に搭載される第１の読取部で読み取られる原稿面とは反対側の原稿面を読み取るための第２の読取部が設けられている。第２の読取部は第２の読取キャリッジ３に搭載され、第２の読取キャリッジ３はＵ字状の原稿搬送経路１２の内側の領域に配置されている。そして、第２の読取キャリッジ３には、その排紙方向の端部に第３のコンタクトガラス２０が設けられている。第３のコンタクトガラス２０は、搬送ローラ対（第１ローラ対）１８と排紙ローラ対（第２ローラ対）１９との間に配置されて、その一面が原稿搬送経路１２の搬送ガイド部材の一部として機能すると共に、第３のコンタクトガラス２０面を通過する原稿を第２の読取部で読み取るように構成されている。
【００２７】
原稿の両面読みモードの際には、上記構成により給紙トレイ１０上の原稿を繰出ローラ１３で繰り出し、給紙ローラ１４及び分離ローラ１５によって１枚に分離する。そして、１枚に分離された原稿をレジストローラ対１６で整合した後に搬送ローラ対１７にて第１のコンタクトガラス１ａに搬送する。その後、第１のコンタクトガラス１ａを通過した原稿を搬送ローラ対１８にて第３のコンタクトガラス２０に搬送し、排紙ローラ１９で排紙トレイ１１に排紙する。この原稿の搬送過程において、原稿が第１のコンタクトガラス１ａを通過するときに第１の読取部によって原稿の表面が読み取られ、原稿が第３のコンタクトガラス２０を通過するときに第２の読取部によって原稿の裏面が読み取られる。
【００２８】
次に、第２の読取キャリッジ３と、この第２の読取キャリッジ３内の第２の読取部の構成について説明する。図２は、第２の読取キャリッジ３を示す拡大断面図、図３は、第２の読取キャリッジ３を下方向から見た斜視図である。なお、図３（ａ）及び図３（ｂ）は、後述する第２の読取キャリッジ３の取付部の部分拡大図である。
【００２９】
図２に示すように、第２の読取部は、コンタクトガラス２０を搬送される原稿に光を照射するためのＬＥＤ及び導光体２２からなる光源と、原稿からの反射光を所定の方向に導く複数のミラー２４、２５、２６、２７と、複数のミラー２４、２５、２６、２７により導かれた反射光を集束するレンズ２８と、レンズ２８により集束された光を光電変換するＣＣＤ（光電変換素子）２９とを備えている。
【００３０】
そして、第３のコンタクトガラス２０を介して光源から発せられる光を原稿に照射し、その反射光を複数のミラー２４、２５、２６、２７で反射させ、レンズ２８を介してＣＣＤ２９により光電変換して原稿画像を読み取る。
【００３１】
第２の読取キャリッジ３は、４つのミラー２４、２５、２６、２７及びレンズ２８、ＣＣＤ２９が設けられた光学ユニット６０と、ＬＥＤ及び導光体２２からなる光源が設けられた光源ユニット６１、第３のコンタクトガラス２０が設けられたガラスユニット６２とで構成されている。図２に示すように、光学ユニット６０、光源ユニット６１、ガラスユニット６２はこの順に連結し、第２の読取キャリッジ３を形成している。
【００３２】
光学ユニット６０は、第２の読取キャリッジ３の外装カバーを兼ねる樹脂形成された断面略Ｌ字状の第１フレーム３０と、原稿搬送方向に対して直交する原稿幅方向に延設して設けられた４つのミラー２４、２５、２６、２７とレンズ２８及びＣＣＤ２９が実装されたＣＣＤ基板３１から構成されている。
【００３３】
光源ユニット６１は、各ミラー２４、２５、２６、２７が取り付けられた第１フレーム３０の内部を覆うように第１フレーム３０に取り付けられる第２フレーム３２と、この第２フレーム３２の一面側に原稿幅方向に延設される２つの導光体２２と、この導光体２２の原稿幅方向の一端側に配置されて導光体２２に入射される光を発光するチップ状のＬＥＤ（図示なし）と、ＬＥＤが実装されるＬＥＤ基板（図示なし）と、ＬＥＤの熱を放散するための放熱器３３（図３参照）で構成される。また、第２フレーム３２に形成された、原稿面で反射した光をミラー２４に入射させるためのスリット３２ａには、キャリッジ内の光学部品を保護するための保護ガラス２１が配置されている。
【００３４】
ガラスユニット６２は、樹脂で形成された第３フレーム３４と、この第３フレーム３４に形成される読取開口３４ａに取り付けられた第３のコンタクトガラス２０と、で構成されている。
【００３５】
第３のコンタクトガラス２０は、その一方面が原稿搬送経路１２の搬送ガイド部材の一部を構成している。また、第３のコンタクトガラス２０の上流側と下流側にも、それぞれ第３フレーム３４からなる上流ガイド部３８Ａ、下流ガイド部３９Ａが設けられている。なお、上流ガイド部３８Ａには、第３のコンタクトガラス２０へと搬送される原稿の搬送負荷を軽減するための遊動コロ３５ａが配置される。
【００３６】
なお、図３では図示を省略したがガラスユニット６２の下部、すなわち第２の読取キャリッジ３の下方には、第４フレーム３５が配置されている。第４フレーム３５は、ガラスユニット６２の下部に、原稿が通過する間隔を空けた位置に配置され、図２に示すように第３フレーム３４の上流ガイド部材３８Ａに対向する上流ガイド部材３８Ｂと、下流ガイド部材３９Ａに対向する下流ガイド部材３９Ｂとを備えている。
【００３７】
このように、第３のコンタクトガラス２０の上流側と下流側に第２の読取キャリッジ３と一体化したガイド部３８Ａと第４フレームに形成したガイド部３８Ｂとを対向して配置することで、従来、装置側の搬送ガイド部材やコンタクトガラス２０の案内面に対して生じていた段差部や偏向部を解消し、原稿をスムーズかつ安定して搬送すると共に、組み立てを容易にすることができる。特に、原稿搬送装置Ａにおいて歪みや捩れが発生して第２の読取キャリッジ３に後述するように微小な傾きが生じた場合でも、変わらずに原稿をスムーズかつ安定して搬送することができる。
【００３８】
また、第４フレーム３５には、第３のコンタクトガラス２０と対向する位置に揺動ガイド部材３７が設けられており、搬送されてきた原稿を案内する原稿搬送経路１２の搬送ガイド部材を第３のコンタクトガラス２０と共に構成している。
【００３９】
揺動ガイド部材３７は、バネ部材等の付勢部材３６によって第４フレーム３５から第３のコンタクトガラス２０に向かって付勢されている。そして、揺動ガイド部材３７の原稿幅方向の両端部には図示しない突起が形成されており、この突起が付勢部材３６によって第３のコンタクトガラス２０に当接している。従って、第３のコンタクトガラス２０の搬送面と揺動ガイド部材３７の搬送面の間には常に一定の間隔が保たれている。これにより、第２の読取部における原稿の読み取りを確実にすることができる。
【００４０】
搬送ローラ対１８から排紙ローラ対１９に至る原稿搬送経路１２の搬送ガイド部材は、上記のように、少なくとも第３のコンタクトガラス２０と揺動ガイド部材３７からなり、さらにこれらの上流と下流に上流側ガイド部材３８、下流側ガイド部材３９が設けられる。
【００４１】
ところで、第３のコンタクトガラス２０は、常に搬送される原稿が接触するために傷やゴミ等が付きやすい。そのため定期的なメンテナンスが必要となるが、第３のコンタクトガラス２０を取り外すためには、まず第２の読取キャリッジ３からガラスユニット６２を取り外す必要がある。しかし、従来の原稿読取装置では、第２の読取キャリッジ３からガラスユニット６２を取り外してしまうと、第２フレーム３２の開口部（スリット３２ａ）から、ミラーやレンズ等の光学部品が配置された第２の読取キャリッジ３内部にゴミ等が入り込む危険性がある。そこで第２フレーム３２のスリット３２ａに、保護ガラス２１を設けている。これにより光路を妨げることなくキャリッジ内部へのゴミ等の侵入を防ぐことができる。
【００４２】
次に、給紙カバーユニット８０及び分離ガイドユニット７０について説明する。図１に示すように、原稿搬送装置Ａは、給紙口１２ａ、原稿搬送経路１２、及び第２の読取キャリッジ３等を覆う給紙カバー８１を備えている。この給紙カバー８１は、繰出ローラ１３、給紙ローラ１４、レジストローラ１６Ａ、及び原稿搬送経路１２の上流から中間部にかけての外側の搬送ガイド部材と一体に形成されて、給紙カバーユニット８０を構成している。この給紙カバーユニット８０は、回動ピン８２によって原稿搬送装置Ａに開閉可能に枢支されており、上側に回動させることにより上流側の原稿搬送経路１２を開放することができる。
【００４３】
一方、給紙カバーユニット８０の内側には、内部に分離ローラ１５を備えた分離ガイドユニット７０が設けられている（図１太線部）。分離ガイドユニット７０は、原稿搬送装置Ａの、第２の読取キャリッジ３の上部に着脱自在に配置されて、上方から装置側板にビスで固定されている。
【００４４】
図１に示すように、分離ガイドユニット７０の給紙口１２ａ側外面は、給紙トレイ１０に載置された原稿の先端を整合する規制壁７２として機能する。また、分離ガイドユニット７０の上面は、原稿搬送経路１２の上流における内側の搬送ガイド部材を構成している。そのため、給紙トレイ１０からレジストローラ対１６に至るまでの搬送ガイド部材を分離ガイドユニット７０と共に取り外すことができ、メンテナンス時等に第２の読取キャリッジ３にアクセスするための開口を広く確保することができる。
【００４５】
第２の読取キャリッジ３を取り外す際には、まず回動ピン８２を中心に給紙カバーユニット８０を回動させて原稿搬送経路１２を開放する。次いで、開放された原稿搬送経路１２から分離ガイドユニット７０を取り外す。そして、分離ガイドユニット７０が取り外された開口部から第２の読取キャリッジ３を引き出して取り外すことができる。
【００４６】
次に、第２の読取キャリッジ３の原稿搬送装置Ａへの取付態様について説明する。図４は、本発明に係る第２の読取キャリッジ３の、原稿搬送装置Ａへの取付態様の一例を示す模式図である。
【００４７】
まず、図４（ａ）及び図４（ｃ）に示すように、原稿搬送装置Ａによる原稿搬送方向に沿って設けられる一対の支持フレーム（側板）５１のそれぞれには、第２の読取キャリッジ３を支持するために突出した支持部５２が設けられている。一方、第２の読取キャリッジ３には、支持フレーム５１のそれぞれの支持部５２と当接して支持固定される取付部４１が形成されている。これにより、第２の読取キャリッジ３は、支持部５２上に取付部４１が載置され、さらに保持部材（ここでは例として、ビス５４）で第２の読取キャリッジ３を支持フレーム５１の支持部５２との間で挟んで保持することによって支持フレーム５１に固定されている。
【００４８】
図４で示されている支持部５２及び取付部４１を図５によってさらに詳細に説明すると、支持部５２は原稿搬送方向に沿って支持フレーム５１の２箇所に設けられており、以下、回動ピン８２側の支持部５２を支持部５２Ａで表し、給紙トレイ１０側の支持部５２を支持部５２Ｂで表す。このとき、支持部５２Ａ、５２Ｂは一対の支持フレーム５１ごとに設けられる。そして、読取キャリッジ３に設けられる取付部４１に関しても、一対の支持フレーム５１ごとに設けられる支持部５２Ａに対応して取付部４１Ａを備え、支持部５２Ｂに対応して取付部４１Ｂを備えている。
【００４９】
図４の説明に戻って、支持部５２（支持部５２Ａ、５２Ｂ）の支持面５３が平面であるのに対して、第２の読取キャリッジ３の取付部４１（取付部４１Ａ、４１Ｂ）に形成される取付面（被支持面）４２は、図４（ｃ）のように曲面から構成される。この曲面は、円柱面〔図３（ａ）参照〕もしくは球面〔図３（ｂ）参照〕から構成する。円柱面に形成した場合、取付面４２と支持面５３とは線接触し、球面に形成した場合、取付面４２と支持面５３とは点接触することになる。また、第２の読取キャリッジ３の取付部４１と保持部材（ビス５４）との間には、クッション材としてスポンジ等の弾性部材５５を挟み込む。弾性部材５５はその弾性力によって、保持部材（ビス５４）と支持部５２との間で第２の読取キャリッジ３を押圧している。
【００５０】
上記のように構成することで、図４（ｂ）に示すように原稿搬送装置Ａに歪みや捩れが生じて支持部５２の位置が変化したとしても、この位置変化を取付面４２の曲面で第２の読取キャリッジ３を傾けながら支持することによって許容し、第２の読取キャリッジ３に歪みや捩れを伝えることがない。さらに、取付部４１と保持部材（ビス５４）との間に弾性部材５５を配置することで、第２の読取キャリッジ３の傾きによって発生する保持部材（ビス５４）との角度ズレを吸収しながら第２の読取キャリッジ３を押圧するため、第２の読取キャリッジ３の安定した固定状態を維持する。そのため、支持部５２の位置変化によって第２の読取キャリッジ３が傾いてもガタつき等を発生させず、さらに第２の読取キャリッジ３の歪みや捩れを有効に防止することが可能となる。
【００５１】
以下、さらに具体的に第２の読取キャリッジ３の原稿搬送装置Ａへの取付態様について説明する。図５は第２の読取キャリッジ３の取付部を示す断面模式図、図６は第２の読取キャリッジ３の取付部を示す斜視図である。
【００５２】
図５に示すように、原稿搬送装置Ａの一対の支持フレーム５１のそれぞれには、第２の読取キャリッジ３の搭載位置に支持部５２Ａ、５２Ｂが配置されており、前述したごとく、給紙カバーユニット８０を開放した際のヒンジ８２側に配置されているのが支持部５２Ａであり、給紙トレイ１０側に配置されているのが支持部５２Ｂである。ヒンジ８２側の支持部５２Ａには、第２の読取キャリッジ３の位置決めをする円筒状の位置決めピン５６が突設されている。位置決めピン５６は、後述する第２の読取キャリッジ３の取付部４１Ａに形成された挿入孔４３に挿通されて、第２の読取キャリッジ３の位置決めを行う。なお、位置決めピン５６の中央には、ビス５４と螺合するネジ孔５６ａが形成されている。
【００５３】
一方、図３に示すように、第２の読取キャリッジ３には、一対の支持フレーム５１のそれぞれの支持部５２Ａ、５２Ｂと当接する位置に、取付部４１Ａ、４１Ｂが配置されている。第２の読取キャリッジ３の短手方向の一端側に配置される取付部４１Ａは、支持フレーム５１の支持部５２Ａと当接する。この取付部４１Ａの下面には、円柱面からなる取付面４２Ａが形成されており、支持面５３Ａと線接触するよう構成されている。また、取付部４１Ａには、支持部５２Ａの円筒状の位置決めピン５６を挿通するための挿入孔４３が形成されている。このように、位置決めピン５６と挿入孔４３によって、簡単に第２の読取キャリッジ３を支持フレーム５１の所定の位置にセットすることができる。
【００５４】
また、第２の読取キャリッジ３の短手方向の他端側に配置される取付部４１Ｂは、支持フレーム５１の支持部５２Ｂと当接する。この取付部４１Ｂの下面には、球面からなる取付面４２Ｂが形成されており、支持面５３Ｂと点接触するよう構成されている。
【００５５】
そこで、図５（ａ）に示すように、取付部４１Ａでは、位置決めピン５６を挿入孔４３に挿通させて、取付部４１Ａ上に弾性部材５５Ａ、さらにその上に押さえ部材５７を載置した後、保持部材であるビス５４で全体を固定する。
【００５６】
また、図５（ｂ）に示すように、取付部４１Ｂでは、支持部５２Ｂ上に取付部４１Ｂを載せ、その上に弾性部材５５Ｂを配置した後、前述した分離ガイドユニット７０を載置する。分離ガイドユニット７０の端部には、取付部４１Ｂを上から押圧して第２の読取キャリッジ３を保持する保持部７１が形成されている。即ち分離ガイドユニット７０を取り付けることで、保持部７１が取付部４１Ｂを支持部５２Ｂとの間で挟んで保持する。
【００５７】
図７は給紙カバーユニット８０と分離ガイドユニット７０を取り外した状態を上から見た図、図８は給紙カバーユニット８０を外した状態（図７に分離ガイドユニット７０を取り付けた状態）を上から見た図である。図７に示すように、分離ガイドユニット７０を取り付けるためのネジ孔７３が、第２の読取キャリッジ３の取付部４１とは異なる位置に配置されており、図８に示すように分離ガイドユニット７０は装置フレームにビス７４によって固定されている。このように、第２の読取キャリッジ３とは別にビス止めされる分離ガイドユニット７０の保持部７１で第２の読取キャリッジ３を挟んで保持することによって、第２の読取キャリッジ３を確実に固定し、第２の読取キャリッジ３の取り付け及び取り外しの手間を簡略化することができる。
【００５８】
このように、第２の読取キャリッジ３の短手方向の一方端が線接触、他方端が点接触で支持フレーム５１の支持部５２に当接することにより、原稿搬送装置Ａに歪みや捩れが生じても、これが第２の読取キャリッジ３に伝わることを防止することができる。
【００５９】
なお上記では、支持フレーム５１の支持面５３を平面に形成するのに対して、第２の読取キャリッジ３の取付面４２を曲面に形成する例を示したが、逆に、支持フレーム５１の支持面を曲面に、第２の読取キャリッジ３の取付面を平面に形成するようにしても、上記実施形態と同様の効果が得られる。
【００６０】
図９は、支持フレーム５１の支持面を曲面に形成した場合の、本発明に係る第２の読取キャリッジ３の原稿搬送装置Ａへの取付態様の一例を示す模式図である。なお、図４に示す実施形態と同一の部分については、同一の符号を付して詳細な説明は省略する。
【００６１】
図９に示すように、原稿搬送装置Ａの支持フレーム５１には、第２の読取キャリッジ３を支持するために突出した支持部５２Ｃが、第２の読取キャリッジ３には、支持フレーム５１の支持部５２Ｃと当接して支持固定されるための取付部４１Ｃが、それぞれ形成されている。そして、第２の読取キャリッジ３は、支持部５２Ｃ上に取付部４１Ｃが載置され、さらに第２の読取キャリッジ３を支持フレーム５１の支持部５２Ｃとの間で挟んで保持する保持部材（ここでは例として、ビス５４）によって支持フレーム５１に固定されている。
【００６２】
ここで、第２の読取キャリッジ３の取付面（被支持面）４２Ｃが平面であるのに対して、支持部５２Ｃの支持面５３Ｃは曲面から構成される。この曲面は、円柱面から形成して取付面４２Ｃと線接触しても良いし、球面から形成して取付面４２Ｃと点接触しても良い。また、第２の読取キャリッジ３の取付部４１Ｃと保持部材（ビス５４）との間にはクッション材としてスポンジ等の弾性部材５５を挟み込む。
【００６３】
以上、詳細に説明したように、本発明の原稿読取装置によれば、原稿搬送装置に歪みや捩れが生じた場合でも、これを原稿搬送装置の読取キャリッジに伝えずに、読取キャリッジを安定して保持することが可能となる。
【符号の説明】
【００６４】
Ａ      原稿搬送装置（原稿搬送ユニット）
Ｈ      原稿読取装置本体（原稿読取ユニット）
２      第１の読取キャリッジ
３      第２の読取キャリッジ
１０    給紙トレイ
１１    排紙トレイ
１２    Ｕ字状の原稿搬送経路
１８    搬送ローラ対（第１ローラ対）
１９    排紙ローラ対（第２ローラ対）
２０    第３のコンタクトガラス
３６    付勢部材
３７    揺動ガイド部材
４１、４１Ａ、４１Ｂ、４１Ｃ    取付部
４２、４２Ａ、４２Ｂ、４２Ｃ    取付面（被支持面）
４３    挿入孔
５１    支持フレーム（側板）
５２、５２Ａ、５２Ｂ、５２Ｃ    支持部
５３、５３Ａ、５３Ｂ、５３Ｃ    支持面
５４    ビス（保持部材）
５５    弾性部材
５６    位置決めピン
５６ａ  ネジ孔
７０    分離ガイドユニット
７１    保持部（保持部材）
【図１】
2014045300.tif 000003
【図２】
2014045300.tif 000004
【図３】
2014045300.tif 000005
【図４】
2014045300.tif 000006
【図５】
2014045300.tif 000007
【図６】
2014045300.tif 000008
【図７】
2014045300.tif 000009
【図８】
2014045300.tif 000010
【図９】
2014045300.tif 000011
【図１０】
2014045300.tif 000012